(57)【要約】【課題】色相を任意に変化させうる装飾体を提供する。【解決手段】装飾体は、基材１と、複数の反射部２と、１以上の透過部３とを含む。基材１は、可視光透過性を有するシート部材、またはパネル部材である。複数の反射部２は、第１の色相を有するとともに、遮光性、及び可視光反射性を有し、基材１に互いに間隙４をおいて形成されている。１以上の透過部３は、第１の色相と異なる第２の色相を有するとともに、可視光透過性を有し、基材１の板面を見たとき、少なくとも部分的に間隙４と重なるように、基材１に形成されている。【選択図】図１
2012162005.tif 000002
【特許請求の範囲】
【請求項１】
基材と、複数の反射部と、１以上の透過部とを含む装飾体であって、
前記基材は、可視光透過性を有するシート部材、またはパネル部材であり、
前記複数の反射部は、第１の色相を有するとともに、遮光性、及び可視光反射性を有し、前記基材に互いに間隙をおいて形成されており、
前記１以上の透過部は、前記第１の色相と異なる第２の色相を有するとともに、可視光透過性を有し、前記基材の板面を見たとき、少なくとも部分的に前記間隙と重なるように、前記基材に形成されている、
装飾体。
【請求項２】
請求項１に記載された装飾体であって、
前記複数の反射部と前記１以上の透過部は、前記基材の一方の板面に積層され、
前記１以上の透過部の各々は、前記間隙を充填するように形成されている、
装飾体。
【請求項３】
請求項１に記載された装飾体であって、
前記複数の反射部は、前記基材の一方の板面に積層され、
前記１以上の透過部は、前記基材の他方の板面に積層された、
装飾体。
【請求項４】
請求項１乃至３の何れかに記載された装飾体であって、
前記１以上の透過部の１つは、前記基材の板面を見たとき、前記複数の反射部、及び前記間隙と重なるように形成されている、
装飾体。
【請求項５】
請求項１乃至４の何れかに記載された装飾体であって、
前記複数の反射部は、第１層と、前記第１層に積層された第２層とを含んでおり、
前記第１層は、前記第１の色相を有しており、
前記第２層は、遮光性、及び可視光反射性を有する、
装飾体。
【請求項６】
請求項１乃至５の何れかに記載された装飾体であって、
さらに複数の突起を含み、
前記複数の突起は、それぞれ、可視光透過性を有し、前記基材の板面を見たとき、前記複数の反射部の各々と重なるように前記基材に形成されている、
装飾体。
【発明の詳細な説明】
【技術分野】
【０００１】
本発明は、電子機器などを装飾するカラーパネル等の装飾体に関する。
【背景技術】
【０００２】
近年、携帯電話機に代表される小型電子機器の普及にともない、この種の機器のデザインの重要性が増している。例えば、特許文献１には、このような電子機器に適用され得る高輝性装飾シートであって、見る角度に応じて輝度の高い部分が移動するものが記載されている。
【０００３】
また、このような装飾シートに関する技術として、特許文献２，３には、透明基材の表面にシルエットパタンを形成しておき、該基材の一面側からは、反射光によってシルエットパタンからなるデザインを視認でき、他面側からは反対面側（上記の一面側）を視認できるパネルが記載されている。
【０００４】
しかしながら、この種の装飾体の分野において、発色領域の色相を任意に変化させる有効な技術は未だに存在しない。例えばホログラムや光学的可変性顔料は、光の反射角度によって色相が変化するものとして知られているが、色相を任意に変化させるものではない。
【先行技術文献】
【特許文献】
【０００５】
【特許文献１】特開２００８−１８６３１号公報
【特許文献２】特開平６−２４２３０５号公報
【特許文献３】特開平８−２５４６０５号公報
【発明の概要】
【発明が解決しようとする課題】
【０００６】
本発明の課題は、色相を任意に変化させうる装飾体を提供することである。
【課題を解決するための手段】
【０００７】
上述した課題を解決するため、本発明に係る装飾体は、基材と、複数の反射部と、１以上の透過部とを含む。
【０００８】
前記基材は、可視光透過性を有するシート部材、またはパネル部材である。
【０００９】
前記複数の反射部は、第１の色相を有するとともに、遮光性、及び可視光反射性を有し、前記基材に互いに間隙をおいて形成されている。
【００１０】
前記１以上の透過部は、前記第１の色相と異なる第２の色相を有するとともに、可視光透過性を有し、前記基材の板面を見たとき、少なくとも部分的に前記間隙と重なるように、前記基材に形成されている。
【００１１】
本発明に係る装飾体は、基材が光透過性を有し、また、複数の反射部がなす間隙に可視光透過性を有する透過部が重なっているから、基材を挟んだ一方の側に光源がある場合、該間隙を介して第２の色相の光が、基材の他方の側、すなわち視認側に出射される。このとき、複数の反射部は遮光性を有するから、該光源の光を遮断し、さらに、第２の色相の光による、いわゆる逆光の効果のために第１の色相の光は該視認側において視認され得ない。
【００１２】
また、基材を挟んだ一方の側に光源がない場合、複数の反射部は可視光反射性を有するから、基材の視認側から入射した光が複数の反射部により反射されて、第１の色相の光が該視認側において視認される。このとき、該間隙を介して第２の色相の光が視認側に出射されることは実質的にないため、第２の色相の光は該視認側において視認され得ない。
【００１３】
したがって、本発明に係る装飾体は、基材を挟んだ一方の側における光源の有無に応じて、第１の色相、または第２の色相を選択的に発色することができる。
【発明の効果】
【００１４】
以上述べたように、本発明によれば、色相を任意に変化させうる装飾体を提供することができる。
【図面の簡単な説明】
【００１５】
【図１】本発明に係る装飾体の第１の実施形態を示す平面図である。
【図２】図１に示されたＩＩ−ＩＩ線に沿う断面図である。
【図３】本発明に係る装飾体の第２の実施形態を示す平面図である。
【図４】図３に示されたＩＶ−ＩＶ線に沿う断面図である。
【図５】本発明に係る装飾体の第３の実施形態を示す断面図である。
【図６】本発明に係る装飾体の第４の実施形態を示す断面図である。
【図７】本発明に係る装飾体の第５の実施形態を示す断面図である。
【図８】本発明に係る装飾体の第６の実施形態を示す断面図である。
【図９】本発明に係る装飾体の第７の実施形態を示す断面図である。
【図１０】本発明に係る装飾体の第８の実施形態を示す平面図である。
【図１１】図１０に示されたＸＩ−ＸＩ線に沿う断面図である。
【図１２】本発明に係る装飾体の第９の実施形態を示す平面図である。
【図１３】図１２に示されたＸＩＩＩ−ＸＩＩＩ線に沿う断面図である。
【図１４】第９の実施形態の変形例を示す平面図である。
【図１５】本発明に係る装飾体の第１０の実施形態を示す平面図である。
【図１６】図１５に示されたＸＶＩ−ＸＶＩ線に沿う断面図である。
【発明を実施するための形態】
【００１６】
１．第１の実施形態
図１は、本発明に係る装飾体の第１の実施形態を示す平面図であり、図２は、図１に示されたＩＩ−ＩＩ線に沿う断面図である。装飾体は、基材１と、複数の反射部２と、複数の透過部３とを含む。
【００１７】
基材１は、可視光透過性を有する無色のシート部材、またはパネル部材であり、装飾体の用途に応じて可撓性を備えるものであってもよい。基材１は、例えばポリカーボネイト、アクリル、ポリエステルなどの合成樹脂、あるいはガラスなどにより構成し得る。この基材１の厚みは、例えば０．１〜５．０ｍｍである。
【００１８】
複数の反射部２と複数の透過部３は、基材１に設けられた発色領域１０に形成されている。本実施形態において、発色領域１０は、図示されるように矩形状に形成されているが、これに限定されることはなく、例えば、円形や三角形などの他の図形、複雑な図柄、あるいは文字形状などのデザイン性の高いものに形成してもよい。なお、基材１の大きさ、及び発色領域１０の数や大きさは、用途に応じて適宜に決定される。
【００１９】
複数の反射部２は、基材１の一方の板面１ｂに、互いに間隙４をおいて線状に積層形成されている。一方、複数の透過部３は、図１に示されるように、基材１の板面１ｂを見たとき、複数の反射部２のなす間隙４と重なるように、基材１の板面１ｂに積層形成されている。言い換えれば、複数の透過部３の各々は、該間隙４を充填するように線状に形成されており、複数の透過部３と複数の反射部２は、図２に示されるように、板面１ｂにおいて、ストライプ模様をなすように、互いに隣接して交互に配置されている。もっとも、複数の透過部３と複数の反射部２の線がなす模様は、このようなストライプ模様に限定されるものではなく、例えば同心円状、波状、網状などの他の模様となし得る。
【００２０】
反射部２は、第１の色相を有するとともに、遮光性、及び可視光反射性を有している。反射部２は、汎用の有機顔料などの着色剤により第１の色相に着色されたものであって、例えば、不透明な反射色を有するインキを採用し得る。また、透過部３は、上記の第１の色相と異なる第２の色相を有するとともに、可視光透過性を有する。透過部３は、汎用の有機顔料などの着色剤により第２の色相に着色されたものであって、例えば、透明色を有するインキを採用し得る。複数の透過部３と複数の反射部２は、平板印刷、スクリーン印刷、凸版印刷、たこ印刷、デジタル印刷などの印刷手法、あるいは塗装手法によって、基材１の上に形成されている。
【００２１】
もっとも、反射部２と透過部３は、上述したような塗料に限定されず、例えば顔料などの着色剤により着色されたプラスチック基材であってもよい。この場合、反射部２と透過部３は、汎用の射出成形手段や接着手段を用いて形成される。
【００２２】
また、図１において、複数の透過部３と複数の反射部２の面積比は、１：９〜９：１の範囲であり、好ましくは４：６〜６：４である。複数の透過部３と複数の反射部２の幅寸法は、視認距離に応じて変動し、例えば視認距離が板面１ｂから２５ｃｍである場合、１５０〜５００μｍが好ましい。複数の透過部３と複数の反射部２の厚み寸法は、用途に応じて適宜に設定し得る。
【００２３】
このような装飾体によれば、次のような作用効果が得られる。すなわち、装飾体は、基材１が光透過性を有し、また、複数の反射部２がなす間隙４に可視光透過性を有する透過部３が重なっているから、基材１を挟んだ一方の側７Ａに光源５がある場合、該間隙４を介して第２の色相の光５ａが、基材の他方の側、すなわち視認側７Ｂに出射される。このとき、複数の反射部２は遮光性を有するから、該光源の光５ｂを遮断し、さらに、第２の色相の光５ａによる、いわゆる逆光の効果のために第１の色相の光６は該視認側７Ｂにおいて視認され得ない。
【００２４】
また、基材１を挟んだ一方の側７Ａに光源５がない場合、複数の反射部２は可視光反射性を有するから、基材１の視認側７Ｂから入射した光６が複数の反射部２により反射されて、第１の色相の光６が該視認側７Ｂにおいて視認される。このとき、該間隙４を介して第２の色相の光５ａが視認側７Ｂに出射されることは実質的にないため、第２の色相の光５ａは該視認側７Ｂにおいて視認され得ない。
【００２５】
したがって、装飾体は、基材１を挟んだ一方の側７Ａにおける光源５の有無に応じて、第１の色相、または第２の色相を選択的に発色することができる。
【００２６】
このような装飾体の典型的な適用例としては、携帯電話機などの電子機器の外装ケースがあり、この場合、上記の光源５として、この種の物品に備えられる液晶表示部のバックライトを使用することができる。この構成によれば、例えばメールや通話の着信時にバックライトが点灯したことを契機として、装飾体の発色領域１０の色相を第１の色相から第２の色相に変化させることができる。もっとも、装飾体の適用例は、これに限られることはなく、健材、オーディオパネル、自動車などのメーターパネル、時計の文字盤なども含む。
【００２７】
また、これまで基材１の色相、及び光源５が発する光の色相は無色であることを前提として説明してきたが、有色であってもよい。この場合、発色領域１０の色相は、基材１の色相、及び／または光の色相と第１の色相、または第２の色相との混合色となる。なお、以下の実施形態についても、本実施形態と同様に、基材１の色相、及び光源５が発する光の色相は無色であるものとして説明する。
【００２８】
２．第２の実施形態
図３は、本発明に係る装飾体の第２の実施形態を示す平面図であり、図４は、図３に示されたＩＶ−ＩＶ線に沿う断面図である。装飾体は、上述した実施形態と同様に、基材１と、複数の反射部２と、透過部３とを含み、個々の構成は同じであるが、透過部３の態様が異なっている。
【００２９】
透過部３は、基材１において、複数の反射部２が設けられた板面１ｂの反対側の板面１ａに積層されている。図１に示されるように、透過部３は、発色領域１０の全体を含むように、基材１の板面１ｂを見たとき、複数の反射部２、及びそれらの間隙４と重なるように形成されている。
【００３０】
複数の反射部２は、基材１の一方の板面１ｂに、互いに間隙４をおいて線状に積層形成されている。該間隙４は、上述した実施形態とは異なり、空間である。
【００３１】
本実施形態の装飾体は、上述した実施形態と同様の作用効果を奏する。すなわち、透過部３が設けられた側７Ａに光源５がある場合、透過部３、及び間隙４を通して第２の色相の光５ａが視認側７Ｂに出射されて視認されるが、反射部２で反射された第１の色相の光６は視認されない。一方、光源５がない場合、視認側７Ｂにおいて、反射部２で反射された第１の色相の光６は視認されるが、第２の色相の光５ａは視認側７Ｂに出射されない。
【００３２】
３．第３の実施形態
図５は、本発明に係る装飾体の第３の実施形態を示す断面図である。装飾体は、上述した実施形態と同様に、基材１と、複数の反射部２と、透過部３とを含み、個々の構成は同じであるが、反射部２と透過部３の態様が異なっている。
【００３３】
すなわち、透過部３は、基材１の視認側７Ｂの板面１ａに積層形成されており、この透過部３の表面に、複数の反射部２が間隙４をおいて積層形成されている。したがって、第２の実施形態と同様に、透過部３は、基材１の板面１ａを見たとき、複数の反射部２、及びそれらの間隙４と重なるように形成されている。
【００３４】
本実施形態の装飾体は、上述した実施形態と同様の作用効果を奏する。すなわち、基材１の一方の側７Ａに光源５がある場合、透過部３、及び間隙４を通して第２の色相の光５ａが視認側７Ｂに出射されて視認されるが、反射部２で反射された第１の色相の光６は視認されない。一方、光源５がない場合、視認側７Ｂにおいて、反射部２で反射された第１の色相の光６は視認されるが、第２の色相の光５ａは視認側７Ｂに出射されない。
【００３５】
４．第４の実施形態
図６は、本発明に係る装飾体の第４の実施形態を示す断面図である。装飾体は、上述した実施形態と同様に、基材１と、複数の反射部２と、透過部３とを含み、個々の構成は同じであるが、反射部２と透過部３の態様が異なっている。
【００３６】
すなわち、複数の反射部２は、基板１の一方の板面１ａに間隙４をおいて積層形成され、透過部３は、複数の反射部２を覆って該間隙４を充填するように、基材１の板面１ａに積層形成されている。したがって、第２の実施形態と同様に、透過部３は、基材１の板面１ａを見たとき、複数の反射部２、及びそれらの間隙４と重なるように形成されている。なお、本実施形態では、これまでの実施形態とは異なり、視認側７Ｂは、基板１の他方の板面１ｂが面する側にある。
【００３７】
本実施形態の装飾体は、上述した実施形態と同様の作用効果を奏する。すなわち、複数の反射部２と透過部３とが設けられた側７Ａに光源５がある場合、透過部３、及び間隙４を通して第２の色相の光５ａが視認側７Ｂに出射されて視認されるが、反射部２で反射された第１の色相の光６は視認されない。一方、光源５がない場合、視認側７Ｂにおいて、反射部２で反射された第１の色相の光６は視認されるが、第２の色相の光５ａは視認側７Ｂに出射されない。
【００３８】
５．第５の実施形態
図７は、本発明に係る装飾体の第５の実施形態を示す断面図である。装飾体は、上述した実施形態と同様に、基材１と、複数の反射部２と、透過部３とを含み、反射部２を除き、個々の構成は同じである。
【００３９】
これまでの実施形態では、反射部２が単一層により構成されているのに対し、本実施形態では、反射部２は、透明な第１層２ｂと、第１層２ｂに積層された不透明な第２層２ａとを含んでいる。第１層２ｂは、第１の色相を有し、第２層２ａは、遮光性、及び可視光反射性を有する。第１層２ｂとしては、例えば、可視光透過性、すなわち透明色を有するインキを採用し得る。第２層２ａとしては、不透明白色のインキを採用し得る。もっとも、第１層２ｂと第２層２ａは、上述したような塗料に限定されず、例えば顔料などの着色剤により着色されたプラスチック基材であってもよい。
【００４０】
本実施形態の装飾体は、全体的構成は第４の実施形態と同じであるから、図示されるように、これと同様の作用効果を奏する。
【００４１】
６．第６の実施形態
図８は、本発明に係る装飾体の第６の実施形態を示す断面図である。装飾体は、上述した実施形態と同様に、基材１と、複数の反射部２と、透過部３とを含み、個々の構成は同じである。本実施形態の相違点は、装飾体がさらに複数の突起８を含む点にある。
【００４２】
複数の突起８は、それぞれ、可視光透過性を有し、基材の板面１ａ，１ｂを見たとき、複数の反射部２の各々と重なるように基材１の視認側７Ｂの板面１ｂに形成されている。この突起８の形成には、平板印刷、スクリーン印刷、凸版印刷、たこ印刷、デジタル印刷などの印刷手法を用いることができる。なお、突起８は、必ずしも全ての反射部２と重なるように設ける必要はなく、その一部のみと重なるように設けてもよい。
【００４３】
本実施形態の装飾体は、全体的構成は第４の実施形態と同じであるから、図示されるように、これと同様の作用効果を奏するが、これに加えて、複数の突起８による作用効果を奏する。すなわち、複数の突起８は、光の屈折作用によって、視認側７Ｂの板面１ｂから所定距離だけ離れた位置に、見る方向によって模様が移動する立体的な像（いわゆる、ゆらぎ）を作り出すのである。
【００４４】
なお、複数の突起８は、図８とは異なり、透過部３の表面に形成してもよい。
【００４５】
７．第７の実施形態
図９は、本発明に係る装飾体の第７の実施形態を示す断面図である。装飾体は、上述した実施形態と同様に、基材１と、複数の反射部２と、透過部３とを含み、個々の構成は同じである。本実施形態の装飾体は、図５に示された構成に、さらに可視光透過性の保護膜９を設けたものである。
【００４６】
保護膜９は、一液ニス、反応性二液ニス、ＵＶニス、あるいは無色の透明フィルムなどにより構成され、複数の反射部２と透過部３とを覆うように発色領域１０に形成されている。この保護膜９の形成には、周知の塗布手段、あるいは貼着手段を用いることができる。なお、保護膜９は、必ずしも発色領域１０の全体を覆うように設ける必要はなく、その一部のみを覆うように設けてもよい。
【００４７】
本実施形態の装飾体は、全体的構成は第３の実施形態と同じであるから、図示されるように、これと同様の作用効果を奏するが、これに加えて、保護膜９による作用効果を奏する。すなわち、保護膜９は、複数の反射部２と透過部３とを保護し、その劣化を妨げる。なお、保護膜９は、これまで述べた全ての実施形態、及び後述する実施形態にも適用することができる。
【００４８】
８．第８の実施形態
図１０は、本発明に係る装飾体の第８の実施形態を示す平面図であり、図１１は、図１０に示されたＸＩ−ＸＩ線に沿う断面図である。本実施形態の装飾体は、光源５がある場合に模式化した文字「Ｙ」が発色領域１０に表示されるように構成したものである。
【００４９】
装飾体は、基材１と、複数の反射部２と、透過部３と、色相調整部３１と、遮光部１１とを含む。
【００５０】
複数の反射部２は、基材１の一方の板面１ａに、互いに間隙４をおいて積層形成されており、色相調整部３１は、基材１の一方の板面１ａに、複数の反射部２を覆うように積層形成されている。色相調整部３１は、スモーク色などの比較的に暗い色相を有し、例えば可視光透過性インキで構成される。
【００５１】
また、透過部３は、色相調整部３１の表面に積層形成され、遮光部１１は、この透過部３の表面に積層形成され、基材１の表面１ａを見たときに、模式化した文字「Ｙ」を構成するように中抜き部分１１ａを有している。遮光部１１は、例えばグレーなどの比較的に暗い色相を有し、例えば遮光性インキで構成される。もっとも、色相調整部３１と遮光部１１は、このような塗料に限定されず、例えば顔料などの着色剤により着色されたプラスチック基材であってもよい。
【００５２】
本実施形態の装飾体は、上述した実施形態と同様の作用効果を奏することにより、光源５がある場合に模式化した文字「Ｙ」が発色領域１０に表示され、光源５がない場合、文字が消えて反射部２の第１の色相が矩形状に発色領域１０に表示される。
【００５３】
すなわち、透過部３などが設けられた側７Ａに光源５がある場合、遮光部１１の中抜き部分１１ａ、透過部３、色相調整部３１、間隙４、及び基材１を通して第２の色相の光５ａが視認側７Ｂに出射される。このとき、複数の反射部２は遮光性を有するから、光源５の光５ｂを遮断し、遮光部１１も遮光性を有するから、光源５の光５ｃを遮断する。また、第２の色相の光５ａによる、いわゆる逆光の効果のために第１の色相の光６ａは視認側７Ｂにおいて視認され得ない。
【００５４】
また、基材１を挟んだ一方の側７Ａに光源５がない場合、複数の反射部２は可視光反射性を有するから、基材１の視認側７Ｂから入射した光が複数の反射部２により反射されて、第１の色相の光６ａが視認側７Ｂにおいて視認される。このとき、複数の反射部２がなす間隙４を介して第２の色相の光５ａが視認側７Ｂに出射されることは実質的にないため、第２の色相の光５ａは視認側７Ｂにおいて視認され得ない。
【００５５】
したがって、本発明に係る装飾体は、基材１を挟んだ一方の側７Ａにおける光源５の有無に応じて、第１の色相を有する矩形状、または第２の色相を有する文字「Ｙ」を選択的に発色表示することができる。
【００５６】
本実施形態において、色相調整部３１は、必須の構成ではないが、透過部３が赤などの比較的に明るい色相を有している場合に、透過部３の色相が間隙４から視認側７Ｂへ漏れることを妨げている。つまり、色相調整部３１は、その暗い色相によって、視認側７Ｂから入射して遮光部１１により反射された光６ｂの輝度を低下させているのである。これにより、光源５の有無に関わらず、透過部３の色相を有する光６ｂが、図１０における遮光部１１の中抜き部分１１ａの外側から出射されることはない。なお、光源５がある場合に、遮光部１１の中抜き部分１１ａを透過する光５ａは、輝度が高いために、実質的に色相調整部３１による影響を受けることは無い。
【００５７】
９．第９の実施形態
図１２は、本発明に係る装飾体の第９の実施形態を示す平面図であり、図１３は、図１２に示されたＸＩＩＩ−ＸＩＩＩ線に沿う断面図である。装飾体は、上述した実施形態と同様に、基材１と、複数の反射部２と、複数の透過部３とを含み、個々の構成は同じであるが、反射部２の態様が異なっている。
【００５８】
すなわち、これまで述べた実施形態における反射部２は平面視で線状に形成されていたのに対して、本実施形態における反射部２は、透過部３とともに矩形状に形成されている。具体的には、複数の反射部２と複数の透過部３は、基材１の一方の板面１ｂに積層され、市松模様をなすように、交互に隣接して形成されている。言い換えれば、複数の透過部３の各々は、複数の反射部２がなす矩形状の間隙４を充填するように形成されており、これまで述べた実施形態と同様に、基材１の板面１ｂを見たとき、複数の反射部２がなす間隙４と重なっている。
【００５９】
本実施形態の装飾体は、上述した実施形態と同様の作用効果を奏する。すなわち、基材１の一方の側７Ａに光源５がある場合、透過部３を通して第２の色相の光５ａが視認側７Ｂに出射されて視認されるが、反射部２で反射された第１の色相の光６は視認されない。一方、光源５がない場合、視認側７Ｂにおいて、反射部２で反射された第１の色相の光６は視認されるが、第２の色相の光５ａは視認側７Ｂに出射されない。
【００６０】
また、図１４に示されるように、複数の反射部２と複数の透過部３を平面視で三角形状とし、交互に隣接するように基材１の板面１ｂに規則的に積層形成しても、同様の作用効果を奏することは言うまでもない。つまり、複数の反射部２と複数の透過部３のなす形状は、限定されないのである。
【００６１】
１０．第１０の実施形態
図１５は、本発明に係る装飾体の第１０の実施形態を示す平面図であり、図１６は、図１５に示されたＸＶＩ−ＸＶＩ線に沿う断面図である。装飾体は、上述した実施形態と同様に、基材１と、複数の反射部２と、透過部３とを含み、個々の構成は同じであるが、反射部２と透過部３の態様が異なっている。
【００６２】
すなわち、複数の反射部２は、平面視で円形状をなし、基材１の一方の板面１ｂに、互いに間隙４をおいて規則的に積層形成されている。この間隙４は、これまでの実施形態とは異なり、平面視で反射部２の周囲全体を取り囲む空間となっている。また、透過部３は、該板面１ｂの反対側の板面１ａに積層されている。図１５に示されるように、透過部３は、発色領域１０の全体を含むように、基材１の板面１ｂを見たとき、複数の反射部２、及びそれらの間隙４と重なるように形成されている。
【００６３】
本実施形態の装飾体は、上述した実施形態と同様の作用効果を奏する。すなわち、基材１の一方の側７Ａに光源５がある場合、透過部３と間隙４とを通して第２の色相の光５ａが視認側７Ｂに出射されて視認されるが、反射部２で反射された第１の色相の光６は視認されない。一方、光源５がない場合、視認側７Ｂにおいて、反射部２で反射された第１の色相の光６は視認されるが、第２の色相の光５ａは視認側７Ｂに出射されない。
【００６４】
このように、反射部２と透過部３は、如何なる形状であっても、その積層形態は限定されず、図２、及び図３、さらには図５〜図８に示された何れの形態も採り得る。
【００６５】
なお、これまで述べた実施形態において、反射部２としてミラーインキを使用すると、光源５がない場合に、発色領域１０があたかも鏡面のようになり、デザイン性を高めることができる。
【００６６】
以上、好ましい実施例を参照して本発明の内容を具体的に説明したが、本発明の基本的技術思想及び教示に基づいて、当業者であれば、種々の変形態様を採り得ることは自明である。
【符号の説明】
【００６７】
１                    基材
１ａ，１ｂ            板面
２                    反射部
２ａ，２ｂ            第１層、第２層
３                    透過部
４                    間隙
８                    突起
【図１】
2012162005.tif 000003
【図２】
2012162005.tif 000004
【図３】
2012162005.tif 000005
【図４】
2012162005.tif 000006
【図５】
2012162005.tif 000007
【図６】
2012162005.tif 000008
【図７】
2012162005.tif 000009
【図８】
2012162005.tif 000010
【図９】
2012162005.tif 000011
【図１０】
2012162005.tif 000012
【図１１】
2012162005.tif 000013
【図１２】
2012162005.tif 000014
【図１３】
2012162005.tif 000015
【図１４】
2012162005.tif 000016
【図１５】
2012162005.tif 000017
【図１６】
2012162005.tif 000018